(57)【特許請求の範囲】
【請求項１】
電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記表側電極部に対向して前記プレート部の表側に設けられた表側電極部に指が触れたとき前記裏側電極部の電圧が低下することを検知して前記電極部に触れたことを検知する制御回路部と、前記裏側電極部に接し前記裏側電極部の電圧を前記制御回路部に送る接触電極部とを有し、前記裏側電極部に設け単位長さ当たりの面積を前記裏側電極部に比べて小さくした導電性経路部を接地電位にある物体に接近して配置し、帯電した指を前記電極部に接近させたとき帯電電圧が前記導電性経路部を経て前記接地電位にある物体に放電するようにして前記制御回路部が高電圧で破壊しないようにした電磁調理器。
【請求項２】
接地電位にある金属製の筐体を備え、導電性経路部は前記筐体に接近して配置した請求項１記載の電磁調理器。
【請求項３】
電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記表側電極部に対向して前記プレート部の表側に設けられた表側電極部に指が触れたとき前記裏側電極部の電圧が低下することを検知して前記電極部に触れたことを検知する制御回路部と、前記裏側電極部に接し前記裏側電極部の電圧を前記制御回路部に送る接触電極部とを有し、前記電極部を複数組設け、それぞれの裏側電極部の間に導電性領域部を設け、この導電性領域部を接地電位とした電磁調理器。
【発明の詳細な説明】
【０００１】
【発明の属する技術分野】
本発明は、各種の機器、特に電磁調理器等のフラットパネルを有する機器のフラットパネルを構成するプレート部に設けたタッチキーを有する電磁調理器に関するものである。
【０００２】
【従来の技術】
従来、この種のタッチキーは、例えば図８、図９に示すものが提案されている。図８はタッチキーの側面から見た図で、１はガラス等の表面の平らな電気絶縁物のプレート部である。２３、２４はプレート部１の対向する位置に設けた電極部で、電極部２３、２４とプレート部１でコンデンサを形成している。８はプレート部１の裏側に設けた電極部２４に接触し、プレート部１の表側電極部２３に指６で触れたときの信号電圧レベルを制御回路部５に伝える接触電極部である。制御回路部５は高周波電圧を電極部２４に送り、電極部２３に指６で触れたとき高周波電圧を電極部２４、プレート部１、電極部２３、指６を通じてバイパスし、電極部２４に現れる電圧が低下することを検知して電極部２３に触れたことを検知するものである。
【０００３】
図９はタッチキーを電磁調理器に適用した例で、１はガラス等でできたプレート部、７は筐体である。２５はプレート部１に設けた複数のタッチキーの表側電極部である。
【０００４】
１ａはプレート部１に設けた鍋置き部で、ここに鍋を置きプレート部１の下にあるコイル部（図示せず）より鍋に渦電流を流し、鍋を加熱し鍋内の食品を調理するものである。
【０００５】
【発明が解決しようとする課題】
しかしながらこのような構成のものでは、人体が帯電しているとき、この帯電電圧は指６から電極部２３に放電し、電極部２４、接触電極部８を通じて制御回路部５に印加され制御回路部５を破壊するという課題があった。
【０００６】
【課題を解決するための手段】
本発明は上記課題を解決するために、電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記表側電極部に対向して前記プレート部の表側に設けられた表側電極部に指が触れたとき前記裏側電極部の電圧が低下することを検知して前記電極部に触れたことを検知する制御回路部と、前記裏側電極部に接し前記裏側電極部の電圧を前記制御回路部に送る接触電極部とを有し、前記裏側電極部に設け単位長さ当たりの面積を前記裏側電極部に比べて小さくした導電性経路部を接地電位にある物体に接近して配置し、前記プレート部の裏側に設けた電極部を接地電位にある物体に近づけ、帯電した指が電極に接近し、電極部に放電しても高電圧を前記接地電位にある物体に放電させ、高電圧が制御回路部に印加されないようにしたものである。
【０００７】
【発明の実施の形態】
請求項１に記載の発明は、電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記表側電極部に対向して前記プレート部の表側に設けられた表側電極部に指が触れたとき前記裏側電極部の電圧が低下することを検知して前記電極部に触れたことを検知する制御回路部と、前記裏側電極部に接し前記裏側電極部の電圧を前記制御回路部に送る接触電極部とを有し、前記裏側電極部に設け単位長さ当たりの面積を前記裏側電極部に比べて小さくした導電性経路部を接地電位にある物体に接近して配置し、帯電した指を前記電極部に接近させたとき帯電電圧が前記導電性経路部を経て前記接地電位にある物体に放電するようにして前記制御回路部が高電圧で破壊しないようにしたから、電極部は所定の位置に配置でき静電気が加わっても制御回路部が破壊しない信頼性の高い操作性に優れた電磁調理器を実現できる。
【０００８】
また、電極部は単位長さ当たりの面積を導電性経路部に比べて小さく設定したから、導電性経路部が通っているプレート面の上部を触れても誤動作のないようにすることができる。
【０００９】
請求項２に記載の発明は、導電性経路は金属製の筐体に接近して配置したから、電極に高電圧が印加されても筐体に高電圧を放電させ、制御回路部に高電圧が印加されない信頼性の高い電磁調理器を実現できる。
【００１０】
請求項３に記載の発明は、電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記表側電極部に対向して前記プレート部の表側に設けられた表側電極部に指が触れたとき前記裏側電極部の電圧が低下することを検知して前記電極部に触れたことを検知する制御回路部と、前記裏側電極部に接し前記裏側電極部の電圧を前記制御回路部に送る接触電極部とを有し、前記電極部を複数組設け、それぞれの裏側電極部の間に導電性の領域を設け、この導電性領域部を接地電位としたから、隣の電極に触れても影響のない信頼性の高い電磁調理器が実現できる。
【００１５】
【実施例】
以下、本発明の実施例について図面を用いて説明する。なお、従来例と同じものは同じ記号を用いて説明を省略する。
【００１６】
（実施例１）
本実施例について図１、図２を用いて説明する。図１は本発明のタッチキーの側面図、図２はプレート部１の裏から見た図で、電極部３、導電経路部４を示している。２はガラス等で構成したプレート部１の表側に設けた電極部で、指６で触れることができる。３はプレート部１の裏側に電極部２と対向して設けた電極部で、電極部２、プレート部１、電極部３でコンデンサを構成している。また電極部３は接触電極部８に接し、電極部２に指６で触れたときその信号を制御回路部５に送るものである。４は電極部３につながる導電性経路部で、電極部３に対して単位長さ当たりの面積が小さいものである。
【００１７】
以上の構成で、タッチキーの使用者がセータを着る等をして静電気を帯びた場合、帯電した指６を電極部２に接近させたとき帯電電圧は電極部２に放電し、その電圧は電極部３から導電性経路部４を経て金属筐体７に放電し、制御回路部５に影響を与えないものである。導電性経路部４は金属筐体７に放電させたが、他の接地電位にある物体に放電させてもよい。またこの導電性経路部４の幅を狭くすることにより、導電性経路部４の上部のプレート部上面４ａを指６で触れた場合、導電性経路部４とプレート部１、指６で構成するコンデンサの容量を小さくすることができ、プレート部上面４ａを触れても検知せず、誤動作を防ぐことができる。
【００１８】
（実施例２）
本発明の第２の実施例を図３に示す。図３はプレート部１を裏から見た図で、裏側に設けた３個の電極部９、１０、１１があり、この電極部９、１０、１１にプレート部１を挟んで対向する位置にそれぞれ３個の電極部があり（図示せず）、タッチキー３組を構成している。この電極部９、１０、１１の間に導電性の領域である導電性領域部１２を設け、接地電位にする。以上の構成で、電極部９の表側にある対向電極に触れたとき、隣側にある電極１０に生じる電圧変化を小さくすることができ、電極１０で構成するタッチキーに触れてないのに触れたと検知する動作を防ぐことができる。
【００１９】
（参考例１）
図４、図５に第１の参考例を示す。図４はプレート部１を裏から見た図で、電極部１３と電極部１３とつながって帯状の補助電極部１４がある。１５は制御回路部５と接続した帯状の接触電極部で補助電極部１４と交差している。
【００２０】
以上の構成で、補助電極部１４と接触電極部１５の交差点の上部のプレート部１４ａ部を指で触れたとき、補助電極部１４と接触電極部１５の交差点、プレート部１、指で構成されたコンデンサの容量値は小さいため、指で触れたときの電圧変化はわずかとなり、プレート部１４ａ部を触れても触れたと認識せず、誤動作を防ぐことができる。また補助電極部１４は帯状に長く、接触電極部１５も帯状に長いため、プレート部１の設置位置がずれても電極部１４と接触電極部１５の接触は保たれ確実に動作する。
【００２１】
なお、補助電極部１４は制御回路部５に接続された接触電極部１５が補助電極部１４に接触して、表電極部１６に触れたかどうかの信号を取り出すため、電極部１６の配置と制御回路部５の配置の位置関係、筐体７との位置関係およびその他の障害物との位置関係で必要となり、電極部６あるいは制御回路部５の配置の自由度を増すものである。
【００２２】
（参考例２）
図６に本発明の第２の参考例を示す。図６は補助電極部１８を短冊状に構成し、補助電極部１８の面積を小さく、かつ接触電極部１９との接触をより確実にしたものである。
【００２３】
（参考例３）
図７に本発明の第３の参考例を示す。２０、２１、２２はプレート部１の表側に設けた電極部で、２０は電源を入りあるいは切りを制御するタッチキー、２１は温度設定レベルを高く設定するタッチキー、２２は温度設定レベルを低く設定するタッチキーである。タッチキー２０に触れたとき、制御回路部５はタッチキー２０に所定時間ｔ１連続して触れたときタッチキー２０に触れたと認識し、電源を入れる。またタッチキー２１、２２に触れて温度設定レベルを変えるときも所定時間ｔ２連続して触れたとき、触れたと認識する構成とし、さらにｔ１＞ｔ２に設定する。
【００２４】
以上の構成にすることにより、誤って電源を入れてしまう危険性を小さくし、かつ温度設定レベルは軽く設定できる使いやすいタッチキーを実現できるものである。また、このタッチキーを電磁調理器に用いることにより、家庭内で安全性の高い、かつ使いやすい電磁調理器を提供できるものである。
【００２５】
【発明の効果】
以上のように本発明によれば、電極部に静電気が印加されても破壊や誤動作のない安定した動作をするとともに、操作性、安全性に優れ、安定性のある使い勝手の良い電磁調理器を提供することができる。
【図面の簡単な説明】
【図１】  本発明の実施例１における電磁調理器の内部断面側面図
【図２】  本発明の実施例１における電磁調理器のプレート部の裏面から見た電極部の平面図
【図３】  本発明の実施例２における電磁調理器のプレート部の裏面から見た電極部の平面図
【図４】  本発明の参考例１におけるタッチキーのプレート部裏面から見た電極部と接触電極部の平面図
【図５】  本発明の参考例１におけるタッチキーの側面図
【図６】  本発明の参考例２におけるタッチキーのプレート部の裏面から見た電極部の平面図
【図７】  本発明の参考例３におけるタッチキーのプレート部表面から見た電極部の平面図
【図８】  従来例の電磁調理器の側面図
【図９】  本発明の実施例１〜３における電磁調理器の斜視図
【符号の説明】
１  プレート部
２、３、９、１０、１１、１３、１６、１７、２０、２１、２２、２３、２４、２５  電極部
４  導電経路部
７  筐体
１２  導電性領域部
１４、１８  補助電極部
１５、１９、８  接触電極部
５  制御回路部
【図２】
0003966049.tif 000002
【図４】
0003966049.tif 000003
【図５】
0003966049.tif 000004
【図６】
0003966049.tif 000005
【図７】
0003966049.tif 000006
【図９】
0003966049.tif 000007
【図１】
0003966049.tif 000008
【図３】
0003966049.tif 000009
【図８】
0003966049.tif 000010